(57)【要約】【課題】  マスク装着時に、鼻の両脇部や頬部と顎部からの隙間を塞ぐことで密閉性を高め、装着面が顔面に与える違和感をなくし、装着感を向上させて、長時間使用できるマスクを提供する。【解決手段】  マスク１は、少なくとも鼻と口を覆う覆い部２と、覆い部２を顔面６に保持する耳掛け部７と起伏部３と折り畳み隙間防止部４と、を備えている。これにより、マスク１装着時には、顔面６の鼻や口及び顎の周囲を広く覆い、十分な空間を形成し、顔面６との隙間を塞ぐことで微小粒子の吸入を効果的に阻止することができる。また、マスク１は、顔面６の隙間を塞ぐことで密閉性が高まり、起伏部３の襞３１により呼気５１や吸気５２の透過度を加減することができ、息苦しさを解消すると共長時間使用できる装着感の高いマスクである。【選択図】    図１
2020007662.tif 000002
【特許請求の範囲】
【請求項１】
少なくとも鼻と口を覆う覆い部と、前記覆い部を耳に掛けて保持する左右の耳掛け部とを備え、前記覆い部は、上下方向に広がる複数段のプリーツと、前記各プリーツの上下方向の広がりに伴って前記覆い部の左右両端部をアーチ状に立ち上がらせる左右の起伏部とを備え、前記左右の起伏部には、前記各プリーツを横断する方向の襞がそれぞれ形成されているマスク。
【請求項２】
前記各プリーツの左右両端部が、上下方向に広がらないように折り畳まれた状態で接合されて平坦な左右のサイドシール部が形成されており、それらのサイドシール部に前記左右の襞が重ねられた状態で、前記左右のサイドシール部の上下端部と、前記左右の襞の上下端部とがそれぞれ結合されて、前記左右の起伏部が形成されている請求項１に記載のマスク。
【請求項３】
前記襞には、通気性シートが設けられている請求項１又は２に記載のマスク。
【請求項４】
前記プリーツが上下方向に広がるときに、前記覆い部の左右の上部と前記鼻の両脇との間に生ずる隙間を埋める折り畳み隙間防止部がさらに設けられている請求項１から３の何れかに記載のマスク。
【請求項５】
前記プリーツの上下方向の広がりに伴って前記襞が広がると、前記プリーツが口から離れた状態で、前記折り畳み隙間防止部と、それを除く前記覆い部の三辺が顔に密着する形状である請求項４に記載のマスク。
【請求項６】
前記折り畳み隙間防止部は、前記鼻から前記サイドシール部までの長さを有する、上部が開口した袋であり、その開口した口の一方の上縁は、前記覆い部の上縁に接合され、他方の上縁は、頬に接するシート状の接合部の上縁に接合され、前記接合部は、頬に接する前記サイドシール部に接合されている請求項４又は５に記載のマスク。
【請求項７】
前記耳掛け部の両端部が前記接合部の上下の端部にそれぞれ取り付けられている請求項６に記載のマスク。
【発明の詳細な説明】
【技術分野】
【０００１】
本発明は、密着性及び装着感を向上させた医療用、防塵用、花粉症対策などに有効なマスクに関するものである。
【背景技術】
【０００２】
マスクは、顔面の密着性を高め微小粒子の吸い込みを防止する観点から重要である。マスクの形状は、大きく分けるとプリーツ型のものと立体型のものとがあり、蛇腹に畳んであるものを広げて使うプリーツ型と、顔の形状に沿ったデザインの形成タイプの立体型があるが、マスクを効果的に使用するには、マスクを顔面に密着させ、尚且つ息苦しくなく、長時間使用できることが重要である。
従来から種々のタイプのマスクが提案されている。例えば特許文献１には、マスク着用前の覆い部が、鼻部分に当たる中央部から縦方向に折り曲げられ、着用時にマスクを上下方向に引っ張ることで、マスクの鼻部分が、三角形の立体形状になり、これによって顔面の鼻部分の隙間を解消し、密着性を高めるマスクが記載されている。
また、特許文献２には、マスクと鼻部分の隙間を塞ぎ、顔面に密着させて使用するマスクが記載されている。
さらに、特許文献３、４、５には、プリーツ型マスクと顔面との隙間を塞ぎ、密着性を高めたマスクが記載されている。
さらに、特許文献６、７にあるように、立体形状タイプのマスクは、顔の形状に沿った覆い部を形成することで、口や鼻の周りに空間を確保し、併せて鼻や頬の隙間を無くすことで、密閉性を高めている。
【先行技術文献】
【特許文献】
【０００３】
【特許文献１】特開２０１４−１１３４３３
【特許文献２】特開２０１３−０４８８９８
【特許文献３】特開２０１６−１７６１６５
【特許文献４】特開２００８−０５５０３５
【特許文献５】特開２００９−２７３９１０
【特許文献６】特開２０１２−０８５７２８
【特許文献７】特開２００４−２４２９０５
【発明の概要】
【発明が解決しようとする課題】
【０００４】
しかしながら、特許文献１、２、３、４、５の形態では、マスク装着時に覆い部を上下方向に引き伸ばす力が、マスクの左右両端部に掛かり、頬に面した覆い部が前方に引かれ、頬部で大きく湾曲して頬部に隙間が生じる。また、鼻の形状は、装着者により多種多様であるため、装着者の鼻の形状に合わすのは困難であり、しかも、鼻の両脇に隙間が生じてマスクとしての効果を十分発揮させることができない。
【０００５】
また、特許文献６，７の形態では、覆い部は、前方に立体形成し、マスクを効果的に装着者の顔面に密着させて口や鼻の空間を確保することができる。しかし、微小粒子の吸い込み防止性能が高いマスクは、隙間を塞ぎ、密閉性が高く設定されているので、マスク装着時に呼吸が苦しくなり、長時間の使用ができない課題がある。
さらに、安価で購入できるマスクの構造では、マスク装着時のマスク内の呼吸気圧を調整することは難しく、マスクのシート面を介して通気できない呼気や吸気がマスクの隙間から吸排し、マスクの密閉性が保てない課題がある。
本発明は、マスクと着用者の鼻の両脇や頬と顎との隙間を解消し、密着性と装着感を高め、プリーツ型マスクと立体型マスクとの双方の利点と欠点を重視することで、マスクの効果をより発揮するマスクの提供を目的とする。
【課題を解決するための手段】
【０００６】
本発明の請求項１に係るマスクは、少なくとも鼻と口を覆う覆い部と、前記覆い部を耳に掛けて保持する左右の耳掛け部とを備え、前記覆い部は、上下方向に広がる複数段のプリーツと、前記各プリーツの上下方向の広がりに伴って前記覆い部の左右両端部をアーチ状に立ち上がらせる左右の起伏部とを備え、前記左右の起伏部には、前記各プリーツを横断する方向の襞がそれぞれ形成されていることを特徴とする。
【０００７】
これにより、各プリーツの上下方向の広がりに伴って左右の襞が伸びるため、左右の起伏部がアーチ状に立ち上がって、鼻と口を覆う覆い部が口から浮いた状態になる。そのため、マスクをしたままで会話や呼吸が楽にできるようになる。
また、請求項２に記載のマスクは、請求項１に記載のマスクにおいて、前記各プリーツの左右両端部が、上下方向に広がらないように折り畳まれた状態で接合されて平坦な左右のサイドシール部が形成されており、それらのサイドシール部に前記左右の襞が重ねられた状態で、前記左右のサイドシール部の上下端部と、前記左右の襞の上下端部とがそれぞれ結合されて、前記左右の起伏部が形成されていることを特徴とする。
これにより、各プリーツの上下方向の広がりに伴って左右の襞が伸びて、左右の起伏部を立ち上がらせるから、マスクの覆い部を口から浮かすことができる。
【０００８】
また、請求項３に係るマスクは、請求項１又は２に記載のマスクにおいて、前記襞には、通気性シートが設けられていることを特徴とする。
【０００９】
これにより、通気性シートを用途に応じた透過度のものにすることにより、粉塵や花粉等が遮断できるマスクとすることができる。しかも、通気性シートが、覆い部の左右両側部に設けられているから、呼気を左右方向に排気して、冬場であっても、メガネが曇る等の問題を解消することができる。
【００１０】
また、請求項４に係るマスクは、請求項１から３の何れかに記載のマスクにおいて、前記プリーツが上下方向に広がるときに、前記覆い部の左右の上部と前記鼻の両脇との間に生ずる隙間を埋める折り畳み隙間防止部がさらに設けられていることを特徴とする。
【００１１】
これにより、人によって鼻の形状が異なっても、覆い部の上部と鼻の両脇との間にできる隙間が、折り畳み隙間防止部によって塞がれるから、密閉性の高いマスクを提供することができる。
【００１２】
また、請求項５に係るマスクは、請求項４に係るマスクにおいて、前記プリーツの上下方向の広がりに伴って前記襞が広がると、前記プリーツが口から離れた状態で、前記折り畳み隙間防止部と、それを除く前記覆い部の三辺が顔に密着する形状であることを特徴とする。
【００１３】
これにより、マスクと顔面との間にできる隙間が塞がれて、密閉性の高いマスクとすることができる。特に、マスクの左右両端部には、各プリーツを折り畳んだ状態で接合させた平坦なサイドシール部が形成されているから、覆い部が耳掛け部によって左右に引っ張られても、サイドシール部がくの字に折れずに、頬に密着する。それに加え、吸排気を左右の通気性シートに限定することができるから、通気性シートを交換したり、その透過度を変えたりすることにより、使用環境に応じたマスクとすることができる。
【００１４】
請求項６に係るマスクは、請求項４又は５に記載のマスクにおいて、前記折り畳み隙間防止部は、前記鼻から前記サイドシール部までの長さを有する、上部が開口した袋であり、その開口した口の一方の上縁は、前記覆い部の上縁に接合され、他方の上縁は、頬に接するシート状の接合部の上縁に接合され、前記接合部は、頬に接する前記サイドシール部に接合されていることを特徴とする。
これにより、各プリーツの上下方向の広がりに伴って左右の起伏部が立ち上がると、覆い部の上縁は、サイドシール部を軸として、サイドシール部に接合された接合部から離れる。そのため、覆い部の上縁と、シート状の接合部に接合された袋の口が開き、同時に、鼻に近接する袋の先端部が、小鼻で左右方向に押されるため、覆い部の上縁と鼻の両脇との間に生ずる隙間が、袋によって完全に密閉される。
【００１５】
請求項７に係るマスクは、請求項６に記載のマスクにおいて、前記耳掛け部の両端部が前記接合部の上下の端部にそれぞれ取り付けられていることを特徴とする。
これにより、頬に接する接合部が耳掛け部に引っ張られて頬に密着するから、マスクの密閉度を高めることができる。
【発明の効果】
【００１６】
本発明に係るマスクによれば、プリーツを上下方向に広げるだけで、左右の起伏部が隆起して、覆い部を口から浮かせることができるから、マスクをしたまま会話や呼吸が楽にできる。また、マスクと頬との間にできる隙間を塞ぐことができるから、密閉性の高いマスクとすることができる。併せて、通気性シートにより呼気や吸気の息苦しさを解消すると共に、微小粒子の吸入を効果的に阻止して、長時間使用できるマスクを提供することができる。
【図面の簡単な説明】
【００１７】
【図１】本発明の一実施形態であるマスクを装着した状態の斜視図である。
【図２】図１のマスクの側面図であって、（ａ）は着用前、（ｂ）は着用時の側面図である。
【図３】（ａ）は、図１のマスクの正面図、（ｂ）は、その背面図である。
【図４】図３（ａ）のＡ−Ａ’線断面図であって、（ａ）は、着用前、（ｂ）は、着用時の断面図である。
【図５】図３（ｂ）のＢ−Ｂ’線断面図であって、（ａ）は、着用前、（ｂ）は、着用時の断面図である。
【図６】図１のマスクの平面図であって、（ａ）は、着用前、（ｂ）は、着用時の平面図である。
【図７】本発明の一実施形態に係るマスクの製作手順を示す説明図であって、図７（１）は、プリーツの左右両端部のサイドシール部を折る畳む前の状態、図７（２）は、サイドシール部を内側へ折った状態、図７（３）は、サイドシール部を外側へ折り返した状態、図７（４）は、折り畳み隙間防止部としての袋を取り付けた状態、図７（５）は、前記袋の上に接合部を取り付けた後、その接合部の上下の端部に耳掛け部の両端を取り付けた状態の説明図である。
【図８】本発明の一実施形態に係るマスクを顔面に装着した状態を示し、（ａ）は呼気状態、（ｂ）は吸気状態を示す。
【発明を実施するための形態】
【００１８】
以下、本発明の実施形態を、添付図面を参照しながら説明する。
図１〜図８に示すマスクは、本発明に係るマスク１の一例を示したものである。これらの図において、マスク１は、少なくとも鼻と口を覆う覆い部２と、その覆い部２を耳に掛けて保持する左右の耳掛け部７と、覆い部２の左右の上部と鼻の両脇との間に生ずる隙間を埋める折り畳み隙間防止部４とを備えている。
覆い部２は、着用者の鼻や口を覆うことが可能な形状と大きさを有し、１枚または複数枚の不織布シートを積層したものである。また、覆い部２は、上下方向に広がる複数段のプリーツ２１〜２４と、各プリーツ２１〜２４の上下方向の広がりに伴って覆い部２の左右両端部をアーチ状に立ち上がらせる左右の起伏部３とを備えている。図では、プリーツを４段設けているが、これには限定されない。また、図５では、各プリーツ２１〜２４が折り重なった時に隠れる部分を上向きに形成しているが、逆向きであっても良い。さらに、左右の起伏部３には、各プリーツ２１〜２４を横断する方向の襞３１が形成されている。また、耳掛け部７は、弾性部材で成形された紐等で耳に掛けられる形状である。
各プリーツ２１〜２４は、図７（１）に示すように、折り畳まれた状態で、それらの左右両端部が一体的に接合されることにより、平坦で上下方向に広がらないサイドシール部３２が形成されている。
左右の起伏部３は、このサイドシール部３２を、それと並行な谷折れ線（サイドシール部３２と略同じ幅を有する襞３１となる幅の内側の線）で内側に折り返して図７（２）の状態にしてから、再びそのサイドシール部３２を外側に折り返すと（図７（３）参照）、各プリーツ２１〜２４の左右端部に、それらを横断する方向の襞３１が形成される。この状態で襞３１の上下端部３３，３４と、サイドシール部３２の上下端部とを一体的に結合すれば、起伏部３が形成される。そして、各プリーツ２１〜２４を図２（ｂ）に示すように上下方向に広げると、それに伴って襞３１が伸びて、左右の起伏部３が立ち上がる。その際、サイドシール部３２が伸びないために、襞３１が扇状に広がって、起伏部３が立ち上がる。その結果、覆い部２の少なくとも三辺が顔に密着した状態で、覆い部２の中央部分が口の周りから離れるようになる。
折り畳み隙間防止部４は、装着者の鼻の両脇から前記サイドシール部３２までの長さを有する、上部が開口した袋状（図７（４）参照）であり、それらの開口した口の一方の縁は、覆い部２の上縁に接合され、前記口の他方の縁は、頬に接するシート状の接合部３５の上縁に接合されている。さらに左右の接合部３５は、頬に接する左右のサイドシール部３２に接合されて頬に密着するから、プリーツ２１〜２４が上下方向に広がって、起伏部３がサイドシール部３２から立ち上がると、袋の口が接合部３５を軸として広がり、装着者の鼻の両脇を塞ぐようになる。すなわち、覆い部２の上縁が、サイドシール部３２を軸として、サイドシール部３２に接合された接合部３５から離れるために、覆い部２の上縁と、シート状の接合部３５に接合された袋の口が開く。同時に、鼻の両脇に位置する袋の先端部が、小鼻で左右方向に押されるため、覆い部２の上縁と鼻の両脇との間に生ずる隙間が、袋によって完全に密閉されるのである。
従来のマスクは、装着時に各プリーツを上下方向に引き伸ばすと、マスクの左右両端部が、くの字に折れて、頬部６２との間に隙間が生じていた。しかし、本発明に係るマスク１では、覆い部２の左右両側部に、平坦なサイドシール部３２から立ち上がる起伏部３を設けることで、頬部６２に接する面は、形状を維持したまま頬部６２に密着する。これにより、マスク１の密閉度を高めている。
また、襞３１に通気性に優れた通気性シートを設けることで、呼気の透過度を加減することができる。これにより、密閉性の高いマスク１であっても、通気性シートを介して楽に呼吸することができる。
また、頬に接するシート状の接合部３５は、頬に密着するサイドシール部３２に接合されているから、その接合部３５の上下の端部に耳掛け部７の両端部を取り付けることで、サイドシール部３２に耳掛け部７の力が作用せずに、サイドシール部３２を頬に密着させることができる。これにより、マスク１の四辺を頬部６２に密着させることができる。
着用前のマスク１は、図２（ａ）や図７（５）に示すように、折り畳んだ状態になっている。それを着するときは、覆い部２のプリーツ２１〜２４を上下方向に広げる。すると、各プリーツ２１〜２４が図２（ｂ）に示すように隆起し、同時に左右の起伏部３が立ち上がって、覆い部２の中央部分が口の周りから離れるようになる。同時に、覆い部２の上部に設けた折り畳み隙間防止部４が広がって小鼻の両脇にできる隙間を塞ぐから、マスク１の周縁は、口を覆った状態で密閉される。したがって、両サイドの通気性シートを介して吸排気が行われるから、周囲環境に応じた透過度の通気性シート選ぶことで、安心して呼吸することができる。
以上、本発明の好ましい実施形態を説明したが、本発明は、この実施形態に制限されない。例えば図４乃至図５に示す実施形態においては、覆い部２のプリーツや伸張部２５の数や形状は実施形態に制限されない。また、覆い部２の左右両側部の、起伏部３の襞３１および接合部３５は、折り畳み型、形状、折り返しの数を多く形成してもよく、襞３１の層を増やすことも可能である。
また、覆い部２の左右両側部の起伏部３の構成は、１枚のシートから覆い部２の左右両側部を折り畳むことで、襞３１とサイドシール部３２とを形成しているが、１枚のシートであっても良いし、異なる構成であっても良い。ここでは、一枚のシートで構成した例を示しているが、これに限定されるものではない。
また、覆い部２の左右両側部の襞３１には、粉塵や花粉等に応じた通気性シート材を使用することで微小粒子の吸引を効果的に阻止できる。さらに、通気性に優れた通気性シート材は、多層構造シート材、または、別体の構造であっても良いし、一体の構造であっても良い。さらに、折り畳み隙間防止部４は、形状を変えることが可能であり、ここに示した実施形態に制限されない。
また、マスク１の構成は、覆い部２と起伏部３と接合部３５と折り畳み隙間防止部４と耳掛け部７と、の組み合わせを変えることが可能であり、ここに示した実施形態に制限されない。
【符号の説明】
【００１９】
１    マスク
２    覆い部
２１    プリーツ１段面
２２    プリーツ２段面
２３    プリーツ３段面
２４    プリーツ４段面
２５    伸張部
３    起伏部
３１    襞
３２    サイドシール部
３３    上端部
３４    下端部
３５    接合部
４    折り畳み隙間防止部
５    呼吸気圧
５１    呼気
５２    吸気
６    顔面
６１    鼻両脇部
６２    頬部
６３    顎部
７    耳掛け部
【図１】
2020007662.tif 000003
【図２】
2020007662.tif 000004
【図３】
2020007662.tif 000005
【図４】
2020007662.tif 000006
【図５】
2020007662.tif 000007
【図６】
2020007662.tif 000008
【図７】
2020007662.tif 000009
【図８】
2020007662.tif 000010
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
少なくとも鼻と口を覆う覆い部と、前記覆い部を耳に掛けて保持する左右の耳掛け部とを備え、前記覆い部は、上下方向に広がる複数段のプリーツと、前記各プリーツの上下方向の広がりに伴って前記覆い部の左右両端部をアーチ状に立ち上がらせる左右の起伏部とを備え、前記各プリーツの左右両端部の所定幅は、上下方向に広がらないように折り畳まれた状態で接合されて平坦な左右のサイドシール部とされ、前記左右の起伏部は、左側の前記サイドシール部と右側の前記サイドシール部を、それぞれ左右方向に折って折り返すことにより、左右方向に伸縮する蛇腹折りにされ、その蛇腹折りによって形成された各襞と、前記サイドシール部との上端部と下端部とが、それらが互いに折り重なった状態で接合されて、前記各襞が前記サイドシール部から立ち上がるように形成されているマスク。
【請求項２】
蛇腹折りによって形成された前記各襞は、通気性シートで形成されている請求項１に記載のマスク。
【請求項３】
前記覆い部の各プリーツが上下方向に広がるときに、前記覆い部の左右の上部と前記鼻の両脇との間に生ずる隙間を埋める折り畳み隙間防止部がさらに設けられている請求項１又は２に記載のマスク。
【請求項４】
前記プリーツの上下方向の広がりに伴って前記襞が広がると、前記プリーツが口から離れた状態で、前記折り畳み隙間防止部と、それを除く前記覆い部の三辺が顔に密着する形状である請求項３に記載のマスク。
【請求項５】
前記折り畳み隙間防止部は、前記鼻から前記サイドシール部までの長さを有する、上部が開口した袋であり、その開口した口の一方の上縁は、前記覆い部の上縁に接合され、他方の上縁は、頬に接するシート状の接合部の上縁に接合され、前記接合部は、頬に接する前記サイドシール部に接合されている請求項３又は４に記載のマスク。
【請求項６】
前記耳掛け部の両端部が前記接合部の上下の端部にそれぞれ取り付けられている請求項５に記載のマスク。
【手続補正２】
【補正対象書類名】明細書
【補正対象項目名】０００６
【補正方法】変更
【補正の内容】
【０００６】
本発明の請求項１に係るマスクは、少なくとも鼻と口を覆う覆い部と、前記覆い部を耳に掛けて保持する左右の耳掛け部とを備え、前記覆い部は、上下方向に広がる複数段のプリーツと、前記各プリーツの上下方向の広がりに伴って前記覆い部の左右両端部をアーチ状に立ち上がらせる左右の起伏部とを備え、前記各プリーツの左右両端部の所定幅は、上下方向に広がらないように折り畳まれた状態で接合されて平坦な左右のサイドシール部とされ、前記左右の起伏部は、左側の前記サイドシール部と右側の前記サイドシール部を、それぞれ左右方向に折って折り返すことにより、左右方向に伸縮する蛇腹折りにされ、その蛇腹折りによって形成された各襞と、前記サイドシール部との上端部と下端部とが、それらが互いに折り重なった状態で接合されて、前記各襞が前記サイドシール部から立ち上がるように形成されていることを特徴とする。
【手続補正３】
【補正対象書類名】明細書
【補正対象項目名】０００７
【補正方法】変更
【補正の内容】
【０００７】
これにより、各プリーツの上下方向の広がりに伴って左右の襞が伸びるため、左右の起伏部がアーチ状に立ち上がって、鼻と口を覆う覆い部が口から浮いた状態になる。そのため、マスクをしたままで会話や呼吸が楽にできるようになる。
【手続補正４】
【補正対象書類名】明細書
【補正対象項目名】０００８
【補正方法】変更
【補正の内容】
【０００８】
また、請求項２に記載のマスクは、請求項１に記載のマスクにおいて、蛇腹折りによって形成された前記各襞は、通気性シートで形成されていることを特徴とする。
【手続補正５】
【補正対象書類名】明細書
【補正対象項目名】００１０
【補正方法】変更
【補正の内容】
【００１０】
また、請求項３に係るマスクは、請求項１又は２に記載のマスクにおいて、前記覆い部の各プリーツが上下方向に広がるときに、前記覆い部の左右の上部と前記鼻の両脇との間に生ずる隙間を埋める折り畳み隙間防止部がさらに設けられていることを特徴とする。
【手続補正６】
【補正対象書類名】明細書
【補正対象項目名】００１２
【補正方法】変更
【補正の内容】
【００１２】
また、請求項４に係るマスクは、請求項３に係るマスクにおいて、前記プリーツの上下方向の広がりに伴って前記襞が広がると、前記プリーツが口から離れた状態で、前記折り畳み隙間防止部と、それを除く前記覆い部の三辺が顔に密着する形状であることを特徴とする。
【手続補正７】
【補正対象書類名】明細書
【補正対象項目名】００１４
【補正方法】変更
【補正の内容】
【００１４】
請求項５に係るマスクは、請求項３又は４に記載のマスクにおいて、前記折り畳み隙間防止部は、前記鼻から前記サイドシール部までの長さを有する上部が開口した袋であり、その開口した口の一方の上縁は、前記覆い部の上縁に接合され、他方の上縁は、頬に接するシート状の接合部の上縁に接合され、前記接合部は、頬に接する前記サイドシール部に接合されていることを特徴とする。
これにより、各プリーツの上下方向の広がりに伴って左右の起伏部が立ち上がると、覆い部の上縁は、サイドシール部を軸として、サイドシール部に接合された接合部から離れる。そのため、覆い部の上縁と、シート状の接合部に接合された袋の口が開き、同時に、鼻に近接する袋の先端部が、小鼻で左右方向に押されるため、覆い部の上縁と鼻の両脇との間に生ずる隙間が、袋によって完全に密閉される。
【手続補正８】
【補正対象書類名】明細書
【補正対象項目名】００１５
【補正方法】変更
【補正の内容】
【００１５】
請求項６に係るマスクは、請求項５に記載のマスクにおいて、前記耳掛け部の両端部が前記接合部の上下の端部にそれぞれ取り付けられていることを特徴とする。
これにより、頬に接する接合部が耳掛け部に引っ張られて頬に密着するから、マスクの密閉度を高めることができる。